(57)【要約】      （修正有）【課題】単一のポット収納トレイに収納する植物の種類を、複数種でも対応可能にする苗ポット展示トレイ装置を提供する。【解決手段】ポット収納部１ａに着脱可能に装着され、苗ポットＰにおける植物の商品情報が表示される表示部２ａを有する表示プレート２と、を備え、表示プレート２は、ポット収納トレイ１の幅方向及び奥行方向の各寸法に対して、それぞれ２枚以上が並列可能な幅寸法を有し、かつシート部材の上方側を表示部２ａとなし、該表示部２ａには、単一種の植物に関する商品情報が表示され、ポット収納トレイ１は、ポット収納部１ａの全数より少ない数で、複数のポット収納部１ａが集合して区画される集合区画領域を複数含み、これら複数の集合区画領域のそれぞれに対して、植物の種類を異ならせた単一種の植物の商品情報が表示される表示プレート２を、当該集合区画領域の仕切部１ｄに装着させて配設したことを特徴とする。【選択図】図１
0003146233.tif 000002
【実用新案登録請求の範囲】
【請求項１】
苗ポットを収納する複数のポット収納部が方形格子状の仕切部により区割されて整列配設されたポット収納トレイと、
シート部材となすとともに、そのポット収納部の前記仕切部の複数のものに差し込まれる複数のスリットを備えて、そのポット収納部に着脱可能に装着され、前記苗ポットにおける植物の種類、用途、性質などの商品情報が表示される表示部を有する表示プレートと、を備え、
前記表示プレートは、前記ポット収納トレイの幅方向及び奥行方向の各寸法に対して、それぞれ２枚以上が並列可能な幅寸法を有し、かつシート部材の上方側を表示部となし、該表示部には、単一種の植物に関する商品情報が表示され、
前記ポット収納トレイは、前記ポット収納部の全数より少ない数で、複数のポット収納部が集合して区画される集合区画領域を複数含み、
これら複数の集合区画領域のそれぞれに対して、植物の種類を異ならせた単一種の植物の商品情報が表示される前記表示プレートを、当該集合区画領域の仕切部に装着させて配設したことを特徴とする苗ポット展示トレイ装置。
【請求項２】
前記複数の集合区画領域は、前記ポット収納トレイの幅方向に設けられることを特徴とする請求項１に記載の苗ポット展示トレイ装置。
【請求項３】
前記複数の集合区画領域は、前記ポット収納トレイの奥行幅方向に設けられることを特徴とする請求項１に記載の苗ポット展示トレイ装置。
【請求項４】
前記複数の集合区画領域は、前記ポット収納トレイの幅方向及び奥行幅方向に設けられることを特徴とする請求項１に記載の苗ポット展示トレイ装置。
【請求項５】
前記ポット収納トレイの幅方向及び奥行幅方向に設けられた前記複数の集合区画領域に配設される前記表示プレートの表示部は、幅方向若しくは奥行幅方で重ならないように配設されることを特徴とする請求項４に記載の苗ポット展示トレイ装置。
【請求項６】
前記表示プレートは、前記ポット収納トレイの幅方向での並列装着態様と、奥行幅方向での並列装着態様とを兼用するようにした複数の前記スリットが形成されることを特徴とする請求項１ないし５のいずれか１項に記載の苗ポット展示トレイ装置。
【考案の詳細な説明】
【技術分野】
【０００１】
本考案は、複数の苗ポットを収納する苗ポット展示トレイ装置に関する。
【背景技術】
【０００２】
従来から植物の苗ポットは、その販売に際してポット収納トレイに収納された状態で店頭に置かれて販売される。この販売時には、苗ポットにおける植物の種類に応じた商品説明と宣伝用を兼ねた表示プレートが取り付けられている（特許文献１参照）。
【０００３】
【特許文献１】実用新案登録第３０５５８９７号公報
【考案の開示】
【考案が解決しようとする課題】
【０００４】
このようなポット収納トレイは概ね標準化されており、例えば、一方である縦の列数を「５列」、他方である横の列数を「８列」とし、４０個の苗ポットを収納する形態のポット収納トレイでは、縦及び横方向の長さが異なる長方体状の形状のものが用いられている。然しながら、需要者の多様化の要求によって植物の種類も多様化しており、このためポット収納トレイに複数種の植物の苗ポットを収納する販売形態を採用することが望まれているも、この販売形態に適した手法がいまだ提案されていないのが現状である。
【０００５】
本考案の課題は、単一のポット収納トレイに収納する苗ポットにおける植物の種類を、複数種でもその収容を対応可能にする苗ポット展示トレイ装置を提供することにある。
【課題を解決するための手段及び考案の効果】
【０００６】
上記課題を解決するために、本考案の苗ポット展示トレイ装置は、苗ポットを収納する複数のポット収納部が方形格子状の仕切部により区割されて整列配設されたポット収納トレイと、シート部材となすとともに、そのポット収納部の前記仕切部の複数のものに差し込まれる複数のスリットを備えて、そのポット収納部に着脱可能に装着され、前記苗ポットにおける植物の種類、用途、性質などの商品情報が表示される表示部を有する表示プレートと、を備え、前記表示プレートは、前記ポット収納トレイの幅方向及び奥行方向の各寸法に対して、それぞれ２枚以上が並列可能な幅寸法を有し、かつシート部材の上方側を表示部となし、該表示部には、単一種の植物に関する商品情報が表示され、前記ポット収納トレイは、前記ポット収納部の全数より少ない数で、複数のポット収納部が集合して区画される集合区画領域を複数含み、これら複数の集合区画領域のそれぞれに対して、植物の種類を異ならせた単一種の植物の商品情報が表示される前記表示プレートを、当該集合区画領域の仕切部に装着させて配設したことを特徴とする。
【０００７】
上記構成とすることにより、単一のポット収納トレイに、複数種の植物を各々の集合区画領域に、単一種の苗ポットを一群となした苗ポット群として収納展示できるため、ポット収納トレイの有効利用や、需要者の多様化に対応可能となり、しかも、この展示形態によって需要者による苗ポットを選ぶ際の選択肢が広げられるなどの販売のための新たな展示形態を構築できる効果を奏する。
【０００８】
また、上記課題を解決するために、本考案の苗ポット展示トレイ装置において、前記複数の集合区画領域は、前記ポット収納トレイの幅方向に設けられることを特徴とすることにより、ポット収納トレイの幅方向に複数の苗ポット群を収納できることとなる。また、前記複数の集合区画領域は、前記ポット収納トレイの奥行幅方向に設けられることを特徴とすることにより、ポット収納トレイの奥行方向に複数の苗ポット群を収納できることとなる。また、前記複数の集合区画領域は、前記ポット収納トレイの幅方向及び奥行幅方向に設けられることを特徴とすることにより、ポット収納トレイの幅方向及び奥行方向に複数の苗ポット群を収納できることとなる。また、前記ポット収納トレイの幅方向及び奥行幅方向に設けられた前記複数の集合区画領域に配設される前記表示プレートの表示部は、幅方向若しくは奥行幅方で重ならないように配設されることを特徴とすることにより、複数の苗ポット群における植物の種類を表示部で確実に確認できる。また、前記表示プレートは、前記ポット収納トレイの幅方向での並列装着態様と、奥行幅方向での並列装着態様とを兼用するようにした複数の前記スリットが形成されることを特徴とすることにより、表示展示形態にとらわれることなく、苗ポット群の植物の種類を表示することができる。このように、複数種の苗ポット群の収納個所や、苗ポット群の群数が変ったり、ポット収納トレイの配置形態が縦方向や横方向に変っても、表示プレートが取り付け自在であるため、苗ポット群の植物の商品情報を当該苗ポット群の植物に関連付けして配置でき、需要者の商品選択を良好にするとともに、間違って購入したりする弊害も無くなる効果を奏する。
【考案を実施するための最良の形態】
【０００９】
以下、本考案の実施の形態につき図面を参照して説明する。図１は苗ポット展示トレイ装置の使用時を示す斜視図である。図１において、苗ポット展示トレイ装置は、ポット収納トレイ１と表示プレート２で構成されている。
【００１０】
ポット収納トレイ１は、プラスチック製からなり、作業者による移動等を考慮して、充分に可搬し得る程度の寸法（一例として縦×横寸法として３０ｍｍ×６５ｍｍ程度である。）の偏平な長方体状の部材である。このポット収納トレイ１は、複数のポット収納部１ａを備えている。
【００１１】
このポット収納部１ａは植物の苗ポットＰを収納する大きさに区割されている。長方枠状に形成される上部枠１ｂの内方開口部１ｃを、幅方向および奥行方向に等間隔で設けられる仕切部１ｄによって井桁状に区割してポット収納部１ａが方形格子状に整列配設されるように形成されている。
【００１２】
ポット収納トレイ１における井桁状（方形格子状）に区割されるポット収納部１ａとして、本例では、４０個の苗ポットＰを収納するように、縦（奥行方向）の列数を「５列」とするための４列の仕切部１ｄと、横（幅方向）の列数を「８列」とするための７列の仕切部１ｄとによって構成されている。
【００１３】
このポット収納部１ａは、苗ポットＰを保持するための底部１ａ１を有し、この底部１ａ１の四方角側から苗ポットＰの外側を囲むように設けられる周壁部１ａ２（仕切部１ｄ）を有している。これらの底部１ａ１及び周壁部１ａ２には、軽量化や通気などを確保するために開口孔１ａ３が形成されている。
【００１４】
表示プレート２は、図３、図４に示すように、シート部材からなり、上方側に植物の種類、用途、性質などの商品情報の表示部２ａと、下方側にポット収納トレイ１に装着するための装着部２ｂを備えている。表示プレート２は矩形板状に形成されるプレート本体２ｃが柔軟性を具有する紙やプラスチック製で形成されている。
【００１５】
このプレート本体２ｃの左右の幅寸法Ｘ２は、ポット収納トレイ１における幅方向及び奥行方向の各寸法Ｌ、Ｌ１に対して、それぞれ２枚以上がその方向にそって並列可能な寸法を有するように形成されている。
【００１６】
表示プレート２の装着部２ｂは、ポット収納トレイ１の仕切部１ｄの複数のものに差し込まれる複数のスリット２ｂ１を有している。これらのスリット２ｂ１は、仕切部１ｄの間隔と同じ間隔で配列されている。このスリット２ｂ１は、図３に示す表示プレート２では２箇所、図４に示す表示プレート２では３箇所に設けられている。また、スリット２ｂ１の長さは、底部１ａ１から仕切板部１ｄの上端までの長さとほぼ同じであり、これにより図１に示すように、表示プレート２がポット収納トレイ１の上方から差し込まれると、スリット２ｂ１と仕切部１ｄとが係合され、表示部２ａがポット収納トレイ１の上方に突出するようにした態様で取り付けすることができる。
【００１７】
また、表示プレート２の他の例として、図５に示すように、スリット２ｂ１を５箇所に設けることもできる。この例によるスリット２ｂ１の間隔は、ポット収納トレイ１の仕切部１ｄの間隔の半分となして配列している。この場合、奥行きの列数を「５列」、幅の列数を「８列」としたポット収納トレイ１の配置形態が縦方向や横方向に変っても、単一の表示プレート２で兼用することができるものとなる。
【００１８】
次に、本発明における苗ポット展示トレイ装置の使用状態について説明する。図１に示すように、このポット収納トレイ１は、その幅（長手）方向を前後にして展示する縦方向展示形態や、図２に示すように、その奥行き（短手）方向を前後にして展示する横方向展示形態を採用することができる。
【００１９】
そして、図６に示すように、このポット収納トレイ１には単一種の植物の苗ポットＰを、ポット収納部１ａの全数（４０個）より少ない数で一群（２０個）となすように、ポット収納部１ａの全数より少ない数で、複数のポット収納部１ａが隣り合って集合して区画される集合区画領域Ｓ、Ｓ１を複数含むように設けている。
【００２０】
そして、集合区画領域Ｓ内のポット収納部１ａに単一種の植物の苗ポットＰを複数収納させている。また、この集合区画領域Ｓ内の一群の苗ポット群における植物の種類に対して、その種類を異ならせた他の一群（２０個）の苗ポット群を集合区画領域Ｓ以外の集合区画領域Ｓ１の領域内に収納させている。これら複数の苗ポット群の植物に対して、個別対応させた商品情報が表示された表示プレート２を、その表示部２ａが苗ポットＰによって隠れないように、当該集合区画領域Ｓ、Ｓ１の仕切部１ｄに装着させて配設している。
【００２１】
また、図７に示すように、複数の集合区画領域Ｓ、Ｓ１は、ポット収納トレイ１の奥行き方向に設けることもできる。また、図８に示すように、複数の集合区画領域Ｓ、Ｓ１、Ｓ２は、ポット収納トレイの幅方向に設けることもできる。また、図９に示すように、複数の集合区画領域Ｓ〜Ｓ５は、前記ポット収納トレイの幅方向および奥行方向の両方向に設けることもできる。
【００２２】
また、図１０に示すように、複数の集合区画領域Ｓ〜Ｓ４は、ポット収納トレイ１の幅方向および奥行方向に設けた態様で、かつ表示プレート２が奥行方向で、その表示部２ａの少なくとも一部が重ならないように配設するようにもできる。この態様の場合は、図示しないも奥行き方向で表示部２ａが全く重ならないようにすることもできる。
【００２３】
また、上記苗ポットＰの一群の数は、あくまで例示にすぎず、植物の種類、季節、売れ筋などによって適宜変更し得るものであり、また、各実施の形態の構成要素を組み合わせることもできる。また、スリット２０ｂ１は、そのスリット２ｂ１の間隔が仕切部１ｄの間隔と同じであればよく、表示プレート２の横寸法Ｘ内での位置が横寸法Ｘの中心に対して左右対称なくてもよく、例えば、図１０に示す右上に配設される表示プレート２のように、方のスリット２０ｂ１が表示プレート２の一方の側縁に近接されるようにした非対称位置に形成することも可能である。
【図面の簡単な説明】
【００２４】
【図１】本考案に係る苗ポット展示トレイ装置の使用時を示す斜視図。
【図２】苗ポット展示トレイ装置の他の使用時を示す斜視図。
【図３】表示プレートの斜視図。
【図４】他の表示プレートの斜視図。
【図５】他の表示プレートの斜視図。
【図６】苗ポット展示トレイ装置の他の使用時を示す平面図。
【図７】苗ポット展示トレイ装置の他の使用時を示す平面図。
【図８】苗ポット展示トレイ装置の他の使用時を示す平面図。
【図９】苗ポット展示トレイ装置の他の使用時を示す平面図。
【図１０】苗ポット展示トレイ装置の他の使用時を示す平面図。
【符号の説明】
【００２５】
１          ポット収納トレイ
１ａ        ポット収納部
１ｄ        仕切部
２          表示プレート
２ａ        表示部
２ｂ１      スリット
Ｐ          苗ポット
Ｓ          集合区画領域
【図１】
0003146233.tif 000003
【図２】
0003146233.tif 000004
【図３】
0003146233.tif 000005
【図４】
0003146233.tif 000006
【図５】
0003146233.tif 000007
【図６】
0003146233.tif 000008
【図７】
0003146233.tif 000009
【図８】
0003146233.tif 000010
【図９】
0003146233.tif 000011
【図１０】
0003146233.tif 000012